(57)【要約】【課題】送風能力の大きなファン装置を用いずに十分な空気清浄効能を安定して得ることができる空気清浄装置とする。【解決手段】ファン装置１と、中空部２ａと環状室２ｂを有する通気性の筒状である容器２と、この環状室２ｂ内に収納した粒状の空気清浄剤３を備え、ファン装置１を駆動することで中空部２ａから空気を吸い込むようにした空気清浄装置であり、この空気清浄装置によれば、環状室２ｂの外周から内周に空気が流通し、その空気流通経路が短かいので、流通する空気の勢いがあまり弱められることがなく、送風能力の大きなファン装置１を用いずに十分な空気清浄効能を安定して得ることができる。【選択図】        図１
2004229961.tif 000002
【特許請求の範囲】
【請求項１】
ファン装置１と、中空部２ａと環状室２ｂを有する筒形状で通気性を有する容器２と、この環状室２ｂに収納した粒状の空気清浄剤３を備え、
前記ファン装置１を駆動することで環状室２ｂの外周と内周とに亘って空気が流通するようにしたことを特徴とする空気清浄装置。
【請求項２】
複数の容器２を、その中空部２ａを連通して軸方向に連結し、その各容器２の環状室２ｂに空気清浄剤３、揮散性薬剤４を選択的に収納した請求項１記載の空気清浄装置。
【請求項３】
容器本体３０のファン装置収納室３４にファン装置１を設け、その容器本体３０の容器収納室３５に容器２を設け、
前記容器本体３０にファン装置１の吐出部１４に連結した吹出し口３６と、容器収納室３５に連通した吸込み口３７をそれぞれ形成し、
前記ファン装置１の吸込部１３と容器２の中空部２ａを連通した請求項１又は２記載の空気清浄装置。
【請求項４】
容器本体３０の下部寄りに吸込み口３７が形成され、上部寄りに吹出し口３６が形成され、この吸込み口３７と吹出し口３６は容器本体３０の長手方向に離隔している請求項３記載の空気清浄装置。
【請求項５】
ファン装置１の上部に容器２が取付けられ、この容器２の外面はほぼ半球形状で、その容器２の外面に防塵カバーが取付けてある請求項１記載の空気清浄装置。
【発明の詳細な説明】
【０００１】
【発明の属する技術分野】
本発明は、主として室内空間の空気を清浄化する空気清浄装置に関する。
【０００２】
【従来の技術】
特許文献１、特許文献２、特許文献３に空気清浄装置が開示されている。
これらの空気清浄装置は、粒状固形物の脱臭剤を収納した容器と、ファン装置を備え、そのファン装置を駆動することで室内等の空気を容器内の脱臭剤を通して流通させ、その空気に含有された臭気を脱臭剤で吸着して臭気を含まない清浄な空気として再び室内に放出するものである。
【０００３】
【特許文献１】
実開昭６１−１１００７８号公報
【特許文献２】
実開平４−３３９２１号公報
【特許文献３】
実開平６−７７４４号公報
【０００４】
【発明が解決しようとする課題】
前述した各空気清浄装置は、容器内を流通する空気が脱臭剤に触れることで空気中の臭気が脱臭剤により吸着され、その容器内を流通する空気の勢い（流通速度）が強いほど臭気吸着効能が良いし、安定して吸着される。
しかしながら、前述した各空気清浄装置は、脱臭剤を収納した容器の１つの面から空気が容器内に流入し、粒状固形物の脱臭剤間を通りながらその容器内全域を流通した後に他の面から流出する。
このために、容器内を流通する空気は脱臭剤間を通る際に勢い（流通速度）が弱められると共に、その空気の流通経路（流通距離）が長く、その流通空気は多数の脱臭剤間を通るので、その空気の勢いが大きく弱められてしまい、脱臭剤の臭気吸着効能が低下したり、不安定となるから、十分な脱臭ができなかったり、確実に脱臭できない恐れがある。
【０００５】
このことを解消するには送風能力の大きなファン装置、例えば送風力の強いファン装置、送風量の大きいファン装置を用いれば良いが、送風能力の大きなファン装置は高価であるし、消費電力が大きく、空気清浄装置が高価となるし、稼動コストが高くなり、特に乾電池を用いてファン装置を駆動する場合には稼動時間が短かくなる。
【０００６】
特に、食堂、病院、倉庫、旅館などの大きな室内空間で使用する場合、又は非常に汚染された室内空間で使用する場合、又は長期にわたって継続使用する場合には、前述のことが著しい。
つまり、前述の場合には使用する脱臭剤の量が多く、大きな容器内に多量の脱臭剤を収納するので、前述の空気の流通経路がより長くなるから、流通空気の勢いがより一層弱められてしまう。
また、大きな容器内に多量の脱臭剤を収納すると、容器内において脱臭剤自体の重さで押しつまって脱臭剤間の隙間が小さく、著しい場合には隙間がなくなって密に近い状態となるので、前述の流通空気の勢いがより一層弱められる。
【０００７】
本発明は前述の課題に鑑みなされたものであって、その目的は、送風能力の大きなファン装置を用いずに十分な空気清浄効能を安定して得られるようにした空気清浄装置を提供することである。
【０００８】
【課題を解決するための手段】
第１の発明は、ファン装置１と、中空部２ａと環状室２ｂを有する筒形状で通気性を有する容器２と、この環状室２ｂに収納した粒状の空気清浄剤３を備え、前記ファン装置１を駆動することで環状室２ｂの外周と内周とに亘って空気が流通するようにしたことを特徴とする空気清浄装置である。
【０００９】
第２の発明は、第１の発明において複数の容器２を、その中空部２ａを連通して軸方向に連結し、その各容器２の環状室２ｂに空気清浄剤３と揮散性薬剤４を選択的に収納した空気清浄装置である。
【００１０】
第３の発明は、第１又は２の発明において容器本体３０のファン装置収納室３４にファン装置１を設け、その容器本体３０の容器収納室３５に容器２を設け、前記容器本体３０にファン装置１の吐出部１４に連結した吹出し口３６と、容器収納室３５に連通した吸込み口３７をそれぞれ形成し、
前記ファン装置１の吸込部１３と容器２の中空部２ａを連通した空気清浄装置である。
【００１１】
第４の発明は、第３の発明において容器本体３０の下部寄りに吸込み口３７が形成され、上部寄りに吹出し口３６が形成され、この吸込み口３７と吹出し口３６は容器本体３０の長手方向に離隔している空気清浄装置である。
【００１２】
第５の発明は、第１の発明においてファン装置１の上部に容器２が取付けられ、この容器２の外面はほぼ半球形状で、その容器２の外面に防塵カバーが取付けてある空気清浄装置である。
【００１３】
【作  用】
第１の発明によれば、ファン装置１を駆動することで容器２の環状室２ｂに空気が流通し、その空気が空気清浄剤３に触れて清浄化されるので、空気を清浄化することができる。
また、環状室２ｂの外周と内周とに亘って空気が流通するから、その流通経路が短かく、環状室２ｂを流通する空気の勢いがあまり弱められることがないので、送風能力の大きなファン装置を用いずに十分な空気清浄効能を安定して得ることができる。
【００１４】
第２の発明によれば、いくつかの容器２の環状室２ｂに空気清浄剤３を収納し、別の容器２の環状室２ｂに揮散性薬剤４を収納することで、空気を清浄化できると共に、その清浄化した空気とともに揮散性薬剤４の薬効成分を放出できる。
【００１５】
第３の発明によれば、ファン装置１、容器２が容器本体３０内に設けられて外部から見えないから、見栄えが良い。
【００１６】
第４の発明によれば、吸込み口３７と吹出し口３６が上下方向、長手方向に離れているから、清浄化した空気は吸い込む部分と離れた位置に放出される。
よって、清浄化した空気を直ちに吸い込むことがないから、室内空間の空気を効率良く清浄化することができる。
【００１７】
第５の発明によれば、容器２の外観が見栄え良いし、その容器２がファン装置１の上部に設けてあるから、全体としての外観が見栄え良い。
よって、机や家庭のテーブルの上に置くことが可能である。
また、容器２の外面に防塵カバーが取付けてあるから、ファン装置１が停止している時にゴミ、ホコリ等が容器２内に入り込むことがない。
【００１８】
【発明の実施の形態】
図１に示すように、ファン装置１と、容器２と、その容器２内に収納した粒状の空気清浄剤３で空気清浄装置を形成している。
前記ファン装置１は、図１と図２に示すようにファンケース１０内にファン１１を回転自在に設けると共に、ファンケース１０にモータ１２を設け、そのモータ１２でファン１１を回転駆動するものである。この実施の形態ではシロッコファンであるが、これに限ることはなくプロペラファンなどでも良い。
前記ファンケース１０は吸込部１３と吐出部１４を有し、ファン１１を回転することで吸込部１３から空気を吸い込んで吐出部１４から吐出する。
【００１９】
前記容器２は中空部２ａと環状空間２ｂを有する筒形状で、その環状空間２ｂは外周と内周（中空部２ａ）に亘って空気が流通する。つまり、通気性を有する。前記容器２は外径よりも軸方向長さが長いことが好ましい。
例えば、容器２は、内側筒体２０と外側筒体２１と一端板２２と他端板２３を備え、内側筒体２０、外側筒体２１は径よりも長い。前記内側筒体２０が中空部２ａを形成し、内側筒体２０と外側筒体２１で環状空間２ｂを形成している。
前記一端板２２に孔２４が形成され、この孔２４が前記ファン装置１の吸込部１３に連通する。
前記内側筒体２０と外側筒体２１には長手方向全長に亘って複数の通気部、例えば通気孔２５が間隔を置いてそれぞれ形成されている。なお、内側筒体２０、外側筒体２１を網状体で形成しても良い。
前記他端板２３は内側筒体２０、外側筒体２１に着脱自在で、この他端板２３を外すことで環状空間２ｂに空気清浄剤３を収納し取り替えることができる。なお、他端板２３を固定しても良い。
前記ファンケース１０の吸込部１３と連続して筒状の突起１５が一体的に設けてあり、その筒状の突起１５を一端板２２の孔２４に嵌合して容器２とファンケース１０が連結される。前記容器２の一端板２２とファンケース１０との間にスポンジ、ゴム等のパッキン１６が介在され、ファンケース１０と容器２の連結部から空気が流入したり、流出しないようにしてある。
【００２０】
前記中空部２ａはファン装置１の吸込部１３と連通し、ファン装置１を駆動することで環状空間２ｂに空気が流通するようにしてある。好ましくは長手方向全長において外周と内周に亘って空気がほぼ均等に流通する。
例えば、環状空間２ｂの外周側、環状空間２ｂ内、環状空間２の内周側（中空部２ａ）、吸込部１３、吐出部１４と空気が流通するようにしてある。
【００２１】
前記粒状の空気清浄剤３は空気と触れることで、その空気を清浄化するもので、脱臭剤、吸着剤、殺菌剤、除湿剤、イオン発生剤などが挙げられる。例えば、活性炭、シリカゲル、活性白土、ゼオライト、骨炭等の物理的吸着系脱臭剤、酸化剤、還元剤、中和剤等の化学反応系脱臭剤、添着活性炭、イオン交換樹脂酸化鉄等の化学吸着系脱臭剤など、シリカゲル、活性炭、ホワイトカーボン、吸水性ポリマー等の除湿剤、トルマリン、竜王石、麦飯石等天然磁性体鉱物、備長炭、合成ゼオライト、炭化ジルコニウム等人工磁性体鉱物、放射線を出すデービド鉱、プランネル石、バストネス石、ニンギョウ石等天然放射性鉱物、竹炭、医王石、黒曜石等のマイナスイオン発生剤などが例示できる。その他、抗菌処理、光触媒処理などをした固形物も使用できる。
【００２２】
このようであるから、ファン装置１を駆動することで環状空間２ｂの外周（例えば、外側筒体２１）から内周（例えば、内側筒体２０）に空気が流通し、その流通経路は容器２の径に比べて短かい。つまり、外周（例えば、外側筒体２１）から一端面（例えば、一端板２２）まで流通する場合に比べて流通経路が短かい。
特に、容器２の軸方向の長さ（例えば、内側筒体２０と外側筒体２１の長さ）が外径よりも長く、環状室２ｂの容積が大きい場合でも流通経路の長さは同一で短かい。
よって、多量の空気清浄剤３を収納した容器２であっても、その空気の流通経路を短かくできる。
【００２３】
次に、本発明の第２の実施の形態を説明する。
この実施の形態は、図３に示すように容器２を他端空間２ｃを有する形状としたことが第１の実施の形態と相違し、他の構成は同様である。
このようにすることで、他端空間２ｃにも空気清浄剤３を収納でき、容器２を大きくせずにより多量の空気清浄剤３を収納することができる。
【００２４】
例えば、内側筒体２０の他端部に亘って内側他端板２３ａを取付け、外側筒体２１の他端部に亘って外側他端板２３ｂを取付け、この内側他端板２３ａと外側他端板２３ｂを軸方向（長手方向）に離隔して両者の間に他端空間２ｃを形成する。
前記内側他端板２３ａ、内側他端板２３ｂに通気部、例えば通気孔２５をそれぞれ形成して他端空間２ｃを通気性を有するものとする。
前記他端空間２ｃの内側他端板２３ａと外側他端板２３ｂとの軸方向の間隔は、外側筒体２１と内側筒体２０との径方向の間隔と極端に違うことなくほぼ同じであることが好ましい。
【００２５】
次に、本発明の第３の実施の形態を説明する。
この実施の形態は、図４に示すように、複数の容器２を軸方向に重ね合せて各中空部２ａを連通したことが第１の実施の形態と相違し、他は同様である。
このようにすることで、複数の容器２のいずれかの容器２の環状空間２ｂに空気清浄剤３を収納し、他の容器２の環状空間２ｂに粒状の揮散性薬剤４、例えば害虫防除剤を収納することができる。
よって、空気清浄すると同時に揮散性薬剤４の薬効成分、例えば害虫防除成分を放出することができるから、例えば、室内空間の害虫防除ができる。
【００２６】
前記揮散性薬剤４としては、消臭剤、香料、害虫防除剤、害虫成長制御剤、害虫忌避剤、防菌防黴剤などが挙げられ、これらの揮散性薬剤を、例えば、パルプなどセルロース、ゼオライトなど無機鉱物、樹脂などに担時して使用する。
例えば、消臭剤としては、シトロネラ油、レモングラス油、ボルニルアセテート、安息香酸メチル、安息香酸エチル、フェニル酢酸エチル等。
【００２７】
香料としては、動物性、植物性の天然香料、或いは炭化水素、アルコール、アルデヒド、ケトン、ラクトン、オキシド、エステル類等の人工香料。
【００２８】
害虫防除剤としては、ピレスロイド系殺虫剤：アレスリン、ｄｌ・ｄ−Ｔ８０−アレスリン、ｄｌ・ｄ−Ｔ−アレスリン、ｄ・ｄ−Ｔ−アレスリン、ｄ・ｄ−Ｔ８０−プラレトリン、レスメトリン、ｄｌ・ｄ−Ｔ８０−レスメトリン、エンペントリン、テラレスリン、トランスフルスリン、フラメトリン、フェノトリン、エトフェンプロックス、テフルスリン、フェンフルスリン等。
【００２９】
害虫成長制御剤としてピリプロキシフェン、メトプレン、ハイドロプレン、フェノキシカルプ等が、また、害虫忌避剤としてディート、ジメチルフタレート、ジブチルフタレート、２−エチル−１，３−ヘキサンジオール、ｐ−ジクロルベンゼン、カプリン酸ジエチルアミド、カンファー等。
【００３０】
防菌防黴剤として、エチルアルコール、イソプロピルアルコール、フェノール、チモール、ｏ−フェニルフェノール、ヒノキチアゾール等。
【００３１】
また、空気清浄剤３と揮散性薬剤４を別々の容器２に収納したので、空気清浄剤３による空気清浄効果が揮散性薬剤４で阻害されることがない。
例えば、活性炭などの脱臭剤と香料、消臭剤を１つの容器２に収納すると、その脱臭剤は容器２内で吸油性であり香料、消臭剤を吸収してしまい脱臭効果が発揮されない。
また、空気清浄剤３と揮散性薬剤４が混合して経時的分解、変質することがなく、しかも空気清浄剤３と揮散性薬剤４が混合して揮散性薬剤４の放出量がバラツクことがなく、揮散性薬剤を定量的に放出することができる。
【００３２】
図４に示す実施の形態では、複数の容器２を着脱自在に連結して任意の数の容器２を選択的に連結できるようにしてある。
具体的には、容器２の他端板２３は孔２６と、この孔２６の周縁に一体的に設けた筒体２７を備え、この筒体２７が一端板２２の孔２４に嵌合するようにしてある。
また、ファン装置２と最も離れた容器２の他端板２３の筒体２７に閉塞板２８が着脱自在に取付けてある。この閉塞板２８は固定であっても良い。
【００３３】
次に、本発明の第４の実施の形態を説明する。
この実施の形態は、図５〜図９に示すように、ファン装置１、容器２を容器本体３０内に設けて見栄えを良くしたことが第１の実施の形態と相違し、他の構成はほぼ同一である。
例えば、容器本体３０はベース体３１とカバー体３２と仕切板３３でファン装置収納室３４と容器収納室３５を有し、そのファン装置収納室３４にファン装置１が設けられ、容器収納室３５に容器２が設けてある。
前記容器本体３０はファン装置収納室３４に開口した吹出し口３６と容器収納室３５に開口した吸込み口３７を有する。
【００３４】
このようであるから、ファン装置１を駆動することで吸込み口３７から容器収納室３５内に外気が吸い込みされ、ファン装置１の吐出空気がファン装置収納室３４から吹出し口３６を経て外部に放出されるので、前述の第１の実施の形態と同様にして空気を清浄することができる。
【００３５】
次に、各部材の具体形状の一例を説明する。
前記ベース体３１は底面板４０と周面板４１で上面が開口した矩形箱形状で、その長手方向中間部に仕切板３３が設けてある。前記底面板４０、周面板４１の長手方向他端寄り部分にスリット状の穴４０ａ，４１ａを形成して前述の吸込み口３７としてある。
前記カバー体３２は上面板４２と、この上面板４２と連続した一対の側面板４３と、一端板４４と、他端板４５で下面が開口した箱形状で、その上面板４２の一方の側面板４３寄り部分に前述の吹出し口３６が形成してある。この実施の形態では上面板２０と一対の側面板２１が断面ほぼ半円形状としてあるが、これに限ることはない。
前記ベース体３１とカバー体３２は着脱自在に連結されている。
例えば、ベース体３１の周面板４１の他端部に設けた立上り片４１ｂとカバー体３２の他端板４５の下部がボルト４６で固着され、ベース体３１の周面板４１の突起４１ｃにカバー体３２の下端面３２ａが接している。
【００３６】
前述のように、ベース体３１とカバー体３２を連結することで、仕切板３３がカバー体３２の上面板４２の内面、一対の側面板４３の内面に接して容器本体３０内をファン装置収納空間３４と容器収納空間３５に区画している。
前記仕切板３３にはファン装置収納空間３４と容器収納空間３５を連通する孔４７を有する。
この仕切板３３はカバー体３２に取付けても良い。
【００３７】
前記容器２は仕切板３３に着脱自在に取付けてある。
例えば、図６と図９に示すように仕切板３３の孔４７の周縁に、断面鉤形の受け片４８をリング状に設け、このリング状の受け片４８の一部分を不連続とする。
前記容器２の一端板２２の孔２４の周縁にリング状突片４９を設け、このリング状突片４９に複数の係止片５０を外周に向けて設ける。
この係止片５０は、前記リング状の受け片４８の不連続部４８ａに嵌まり合うと共に、受け片４８に係合する。
このようであるから、係止片５０を不連続部４８ａに嵌め合せ、容器２を若干の角度回転することで、係止片５０がリング状突片４９に係合して取付けられる。
前述と反対の操作することで容器２を取り外しできる。
【００３８】
前記ファン装置１は、そのファンケース１０がベース体３１に設けた支持片５１に載置するようにして取付けられ、その吐出部１４は図７に示すように吹出し口３６と連続し、吸込部１３は図６に示すように仕切板３３の孔４７、一端板２２の孔２４を経て容器２の中空部２ａに連通している。
【００３９】
前記容器本体３０は脚を有し、設置面と底面との間に隙間が形成されるようにしてある。例えば、ベース体３１の底面に脚５２が取付けてある。
前記ファン装置収納室３４内には電池ボックス５３が取付けてあり、その電池ボックス５３に電池５４が設けてある。
この電池５４でモータ１２が駆動される。
【００４０】
次に、本発明の第５の実施の形態を説明する。
この実施の形態は図１０、図１１に示すように、カバー体３２の幅を長手方向に亘って同一とし、ベース体３１のファン装置収納室３４を形成する長手方向一端部３１ａ（仕切板３３よりも長手方向一端寄り部分）の幅を大きく、容器収納空間３５を形成する長手方向他端部３１ｂ（仕切板３３よりも長手方向他端寄り部分）の幅を小さくし、その長手方向他端部３１ｂの幅方向両側面５５とカバー体３２の内面５６との間に隙間を形成して吸込み口３７としたことが第４の実施の形態と異なり、他の構成は同様である。
【００４１】
次に、本発明の第６の実施の形態を説明する。
この実施の形態は、図１２、図１３に示すようにベース体３１の幅を長手方向に亘って同一とし、カバー体３２のファン装置収納室３４を形成する長手方向一端部３２ｂ（仕切板３３よりも長手方向一端寄り部分）の幅と高さを小さく（カバー体３２と同一幅）、容器収納空間３５を形成する長手方向他端部３２ｃ（仕切板３３よりも長手方向他端寄り部分）の幅と高さを大きくすることで、ベース体３１の長手方向他端部３１ｂの幅方向両側面５５とカバー体３２の内面５６との間に隙間を形成して吸込み口３７を形成したことが第４の実施の形態と相違し、他の構成はほぼ同一である。
【００４２】
このようにすることで、容器本体３０の縦断面積がファン装置収納空間３４よりも容器収納空間３５が大きいから、容器本体３０の容器収納空間３５の単位長さ当りの容積がファン装置収納空間３４の単位長さ当り容積よりも大きい。
これによって、容器収納空間３５を形成する部分（ベース体３１の長手方向他端部３１ｂ、カバー体３２の長手方向他端部３２ｃ）の長さを第４の実施の形態に比べて短かくして容器収納空間３５の容積（長さ×縦断面積）を同一にできる。
したがって、容器収納空間３５に収納する容器２の断面積を第４の実施の形態よりも大きくできるので、第４の実施の形態と同一の容量の空気清浄剤３を収納できると共に、容器本体３０の全長を第４の実施の形態と比べて短かくできる。つまり、この実施の形態によれば本体容器３０の全長を短かくして多量の空気清浄剤３を収納できる。
【００４３】
前述の第４〜第６の実施の形態においては、吸込み口３７が容器本体３０の長手方向他端寄りでかつ下方であり、吹出し口３６が長手方向一端寄りでかつ上方であるから、吸込み口３７と吹出し口３６が上下方向及び長手方向に離隔し、吹き出した清浄化した空気を直ちに吸い込むことがない。
【００４４】
次に、本発明の第７の実施の形態を説明する。
この実施の形態は、ファン装置１の上に容器２を設け、この容器２の外面に通気性を有する防塵カバー、例えばフィルター６０を取付けてゴミ、ホコリ等が容器２の内部に入り込むことを防止するようにしたもので、ファン装置１、容器２の基本構成は前述の各実施の形態と同様である。
【００４５】
例えば、容器本体３０を上面が開口した筒形状でファン装置収納空間３４のみを有する形状で、ファンケース１０の吐出部１４と連通する吹き出し口３６を有する。
この容器本体３０のファン装置収納空間３４の下部に電池ボックス５３を取付け、この電池ボックス５３の上にファン装置１を取付ける。
容器２の外側筒体２１と他端板２３はほぼ半球面形状で、その外側筒体２１、他端板２３の外面にフィルター６０が取付けてある。
【００４６】
このようにすることで、外観の見栄えが良いから机や家庭用テーブルの上に置くことが可能な空気清浄装置である。
【００４７】
前述の各実施の形態では容器２の中空部２ａをファン装置１の吸込み部１３に連通して外周から中空部２ａに空気が流通するようにしたが、容器２の中空部２ａをファン装置１の吐出部１４に連通して中空部２ａから外周に向けて空気が流通するようにしても良い。
また、容器２は断面円形の筒形状としたが、断面楕円形、矩形、五角形、六角形などの多角形断面形状でも良い。
また、空気清浄剤、揮散性薬剤の担持物の粒形状は、顆粒状、大粒状、球状などが挙げられ、その大きさは、直径２〜１５ｍｍが好ましく、より好ましくは３〜１０ｍｍである。２ｍｍより小さいと通気孔２５より抜け落ちてしまう恐れがある他、細密充填されると通気性が悪くなる。１５ｍｍより大きいと、容器２への充填効率が悪くなる他、比表面積が小さくなり、脱臭剤などの吸着効率や揮散性薬剤の放出効率が悪くなる。
【００４８】
【発明の効果】
請求項１に係る発明によれば、ファン装置１を駆動することで容器２の環状室２ｂに空気が流通し、その空気が空気清浄剤３に触れて清浄化されるので、空気を清浄化することができる。
また、環状室２ｂの外周と内周とに亘って空気が流通するから、その流通経路が短かく、環状室２ｂを流通する空気の勢いがあまり弱められることがないので、送風能力の大きなファン装置を用いずに十分な空気清浄効能を安定して得ることができる。
【００４９】
請求項２に係る発明によれば、いくつかの容器２の環状室２ｂに空気清浄剤３を収納し、別の容器２の環状室２ｂに揮散性薬剤４を収納することで、空気を清浄化できると共に、その清浄化した空気とともに揮散性薬剤４の薬効成分を放出できる。
【００５０】
請求項３に係る発明によれば、ファン装置１、容器２が容器本体３０内に設けられて外部から見えないから、見栄えが良い。
【００５１】
請求項４に係る発明によれば、吸込み口３７と吹出し口３６が上下方向、長手方向に離れているから、清浄化した空気は吸い込む部分と離れた位置に放出される。
よって、清浄化した空気を直ちに吸い込むことがないから、室内空間の空気を効率良く清浄化することができる。
【００５２】
請求項５に係る発明によれば、容器２の外観が見栄え良いし、その容器２がファン装置１の上部に設けてあるから、全体としての外観が見栄え良い。
よって、机や家庭のテーブルの上に置くことが可能である。
また、容器２の外面に防塵カバーが取付けてあるから、ファン装置１が停止している時にゴミ、ホコリ等が容器２内に入り込むことがない。
【図面の簡単な説明】
【図１】本発明の第１の実施の形態を示す断面図である。
【図２】図１のＡ−Ａ断面図である。
【図３】本発明の第２の実施の形態を示す断面図である。
【図４】本発明の第３の実施の形態を示す断面図である。
【図５】本発明の第４の実施の形態を示す斜視図である。
【図６】図５の縦断面図である。
【図７】図６のＢ−Ｂ断面図である。
【図８】図６のＣ−Ｃ断面図である。
【図９】図６のＤ−Ｄ断面図である。
【図１０】本発明の第５の実施の形態を示す底面側から見た斜視図である。
【図１１】図１０の底面図である。
【図１２】本発明の第６の実施の形態を示す底面側から見た斜視図である。
【図１３】図１２の底面図である。
【図１４】
本発明の第７の実施の形態を示す断面図である。
【符号の説明】
１…ファン装置、２…容器、２ａ…中空部、２ｂ…環状室、３…空気清浄剤、４…揮散性薬剤、１３…吸込部、１４…吐出部、２０…内側筒体、２１…外側筒体、２５…通気孔、３０…容器本体、３１…ベース体、３２…カバー体、３３…仕切板、３４…ファン装置収納空間、３５…容器収納空間、３６…吹出し口、３７…吸込み口、６０…フィルター（防塵カバー）。
【図１】
2004229961.tif 000003
【図２】
2004229961.tif 000004
【図３】
2004229961.tif 000005
【図４】
2004229961.tif 000006
【図５】
2004229961.tif 000007
【図６】
2004229961.tif 000008
【図７】
2004229961.tif 000009
【図８】
2004229961.tif 000010
【図９】
2004229961.tif 000011
【図１０】
2004229961.tif 000012
【図１１】
2004229961.tif 000013
【図１２】
2004229961.tif 000014
【図１３】
2004229961.tif 000015
【図１４】
2004229961.tif 000016